(57)【要約】      （修正有）【課題】狭くて長い作業環境において、容易に操作でき、そして機械の部品と干渉せずに、ロッドを順調に引くことができる手工具用折曲機構とその折曲機構を含む手工具を提供する。【解決手段】両端を有し、一端に工作部１２が形成され、他端に握り部１１が形成されるロッドと、枢着溝２１と、旋回端２２と、を備え、工作部１２と握り部１１の間に設けられ、旋回端２２は枢着溝２１に組み付けられ、枢着溝２１は、溝口２１１と、規制構造と、を有する。また、旋回端２２は、スライド溝２２１を有し、第１位置と第２位置に切替え可能であり、旋回端２２が第１位置に位置しているときには、規制構造により旋回端２２が工作部１２に対して旋回できず、旋回端２２が第２位置に位置しているときには、旋回端２２が溝口２１１内に旋回してロッドをＬ字形にすることができる少なくとも一つの折曲部と、を含む。【選択図】図２Ａ
0003173940.tif 000002
【実用新案登録請求の範囲】
【請求項１】
両端を有し、一端に工作部が形成され、他端に握り部が形成されるロッドと、
枢着溝と、旋回端と、を備え、前記工作部と前記握り部の間に設けられ、前記旋回端は前記枢着溝に組み付けられ、前記枢着溝は、溝口と、規制構造と、を有し、前記旋回端は、スライド溝を有し、第１位置と第２位置に切替え可能であり、前記旋回端が前記第１位置に位置しているときには、前記規制構造により前記旋回端が前記工作部に対して旋回できず、前記旋回端が前記第２位置に位置しているときには、前記旋回端が前記溝口内に旋回して前記ロッドをＬ字形にすることができる少なくとも一つの折曲部と、を含む手工具用折曲機構において、
前記折曲部は更に、少なくとも一つの定位ユニットを含み、前記定位ユニットは第１定位具を含み、前記第１定位具は前記スライド溝をスライドすることができ、前記旋回端が前記第１位置に位置しているときには、前記第１定位具が前記スライド溝の一端に位置し、前記旋回端が前記第２位置に位置しているときには、前記第１定位具が前記スライド溝の他端に位置することを特徴とする手工具用折曲機構。
【請求項２】
前記枢着溝の底部に窪みが形成され、前記旋回端が前記第１位置に位置しているときには、前記旋回端が前記窪みに当接することを特徴とする、請求項１に記載の手工具用折曲機構。
【請求項３】
前記規制構造は、互いに対向する二つの係合階段と、互いに対向する二つの側面と、を含み、前記二つの側面のうちの一つに定位穴が形成され、前記二つの側面のうちの残りに定位溝が形成され、前記旋回端の周面に二つの当接面が形成され、前記旋回端が前記第１位置に位置しているときには、前記二つの当接面がそれぞれ前記二つの係合階段に当接し、これにより、前記握り部は前記工作部に対して旋回できないことを特徴とする、請求項２に記載の手工具用折曲機構。
【請求項４】
前記旋回端は更に、収容穴を有し、前記収容穴は、前記定位穴と前記定位溝のうちの一つに対応し、前記スライド溝は、前記定位穴と前記定位溝のうちの残りに対応することを特徴とする、請求項３に記載の手工具用折曲機構。
【請求項５】
前記定位ユニットは更に、前記収容穴に収容される、第１弾性具と、第２弾性具と、第２定位具と、を含み、前記第２定位具は、前記第１弾性具と前記第２弾性具の間に配されることを特徴とする、請求項４に記載の手工具用折曲機構。
【請求項６】
前記第１定位具と前記第２定位具は、玉であることを特徴とする、請求項５に記載の手工具用折曲機構。
【請求項７】
前記枢着溝の壁面の軸方向には、Ｕ字形を呈する開口が形成され、前記開口と前記溝口は互いに連通し、前記二つの側面は、それぞれ前記壁面の前記開口と隣接する両側に位置し、前記旋回端を旋回すると、前記旋回端が前記開口と係合することを特徴とする、請求項１から請求項６の何れか１項に記載の手工具用折曲機構。
【請求項８】
前記収容穴は階段面を有し、前記第１弾性具は、一端が前記階段面に押付け、他端が前記二つの側面のうちの一つに押付けることを特徴とする、請求項７に記載の手工具用折曲機構。
【請求項９】
請求項１に記載の手工具用折曲機構と、爪車ヘッドと、を含む手工具において、
前記工作部が多角体に形成され、前記多角体に係止部が設けられ、前記係止部により、前記爪車ヘッドが前記工作部に係止されることを特徴とする手工具。
【考案の詳細な説明】
【技術分野】
【０００１】
本考案は、手工具用折曲機構とその折曲機構を含む手工具に関するものである。
【背景技術】
【０００２】
市販している手工具は、設備保全に関連する産業に広汎に利用され、しかし、そのロッドは折曲できないものが多く、そして多くの機械の構造が複雑であるため、修理時に、このような手工具の操作可能な空間がより狭い。狭くて長い作業環境において、従来の手工具を利用する場合には、ユーザは、より長いロッドを有する手工具を容易に操作できず、しかもより短いロッドを有する手工具を握って力を入れることができないという問題があった。
【０００３】
一方、狭くて長い作業環境において、ロッドを折曲できない手工具を利用する場合には、ロッドの長さが十分であっても、機械の部品と干渉しやすいため、ロッドを順調に引くことができないという問題もあった。
【考案の概要】
【考案が解決しようとする課題】
【０００４】
本考案の主な目的は、狭くて長い作業環境において、容易に操作でき、そして機械の部品と干渉せずに、ロッドを順調に引くことができる手工具用折曲機構とその折曲機構を含む手工具を提供することにある。
【課題を解決するための手段】
【０００５】
本考案の手工具用折曲機構によると、両端を有し、一端に工作部が形成され、他端に握り部が形成されるロッドと、枢着溝と、旋回端と、を備え、工作部と握り部の間に設けられ、旋回端は枢着溝に組み付けられ、枢着溝は、溝口と、規制構造と、を有し、旋回端は、スライド溝を有し、第１位置と第２位置に切替え可能であり、旋回端が第１位置に位置しているときには、規制構造により旋回端が工作部に対して旋回できず、旋回端が第２位置に位置しているときには、旋回端が溝口内に旋回してロッドをＬ字形にすることができる少なくとも一つの折曲部と、を含む手工具用折曲機構において、折曲部は、更に、少なくとも一つの定位ユニットを含み、定位ユニットは第１定位具を含み、第１定位具はスライド溝をスライドすることができ、旋回端が第１位置に位置しているときには、第１定位具がスライド溝の一端に位置し、旋回端が第２位置に位置しているときには、第１定位具がスライド溝の他端に位置することを特徴とする。
【０００６】
本考案の手工具用折曲機構によると、枢着溝の底部に窪みが形成され、旋回端が第１位置に位置しているときには、旋回端が窪みに当接することを特徴とする。
【０００７】
本考案の手工具用折曲機構によると、規制構造は、互いに対向する二つの係合階段と、互いに対向する二つの側面と、を含み、二つの側面のうちの一つに定位穴が形成され、二つの側面のうちの残りに定位溝が形成され、旋回端の周面に二つの当接面が形成され、旋回端が第１位置に位置しているときには、二つの当接面がそれぞれ二つの係合階段に当接し、これにより、握り部は工作部に対して旋回できないことを特徴とする。
【０００８】
本考案の手工具用折曲機構によると、旋回端は、更に、収容穴を有し、収容穴は、定位穴と定位溝のうちの一つに対応し、スライド溝は、定位穴と定位溝のうちの残りに対応することを特徴とする。
【０００９】
本考案の手工具用折曲機構によると、定位ユニットは、更に、収容穴に収容される、第１弾性具と、第２弾性具と、第２定位具と、を含み、第２定位具は、第１弾性具と第２弾性具の間に配されることを特徴とする。
【００１０】
本考案の手工具用折曲機構によると、第１定位具と第２定位具は玉であることを特徴とする。
【００１１】
本考案の手工具用折曲機構によると、枢着溝の壁面の軸方向には、Ｕ字形を呈する開口が形成され、開口と溝口は互いに連通し、二つの側面は、それぞれ壁面の開口と隣接する両側に位置し、旋回端を旋回すると、旋回端が開口と係合することを特徴とする。
【００１２】
本考案の手工具用折曲機構によると、収容穴は階段面を有し、第１弾性具は、一端が階段面に押付け、他端が二つの側面のうちの一つに押付けることを特徴とする。
【００１３】
本考案の手工具によると、請求項１に記載の手工具用折曲機構と、爪車ヘッドと、を含む手工具において、
工作部が多角体に形成され、多角体に係止部が設けられ、係止部により、爪車ヘッドが工作部に係止されることを特徴とする。
【考案の効果】
【００１４】
本考案の手工具用折曲機構とその折曲機構を含む手工具によれば、狭くて長い作業環境において、容易に操作でき、そして機械の部品と干渉せずに、ロッドを順調に引くことができるという効果を有する。
【図面の簡単な説明】
【００１５】
【図１】本考案の実施例１の組合済み状態を示す斜視図である。
【図２Ａ】本考案の実施例１を示す分解斜視図である。
【図２Ｂ】図２Ａの一部の拡大図である。
【図３Ａ】本考案の旋回端が第１位置に位置している状態を示す側面図である。
【図３Ｂ】本考案の旋回端が第１位置に位置している状態を示す断面図である。
【図４Ａ】本考案の旋回端が第２位置に位置している状態を示す側面図である。
【図４Ｂ】本考案の旋回端が第２位置に位置している状態を示す断面図である。
【図５】本考案の実施例１の折曲状態を示す模式図である。
【図６】本考案の実施例２の一部を示す分解斜視図である。
【図７Ａ】本考案の実施例３の組合済み状態を示す斜視図である。
【図７Ｂ】本考案の実施例３の一部を剖開した側面図である。
【図７Ｃ】本考案の実施例３の一部を剖開した側面図である。
【図８Ａ】本考案の実施例４の組合済み状態を示す側面図である。
【図８Ｂ】本考案の実施例４の折曲状態を示す模式図である。
【考案を実施するための形態】
【００１６】
以下、本考案の実施の形態を図面に基づいて説明する。
【００１７】
まず、図１乃至図６を参照する。本考案の一実施例の手工具用折曲機構は、ロッド１と、少なくとも一つの折曲部２と、を含む。本考案の一実施例の手工具は、前記手工具用折曲機構と、爪車ヘッド３と、を含む。
【実施例１】
【００１８】
図１乃至図３Ａ、図３Ｂを参照する。本実施例では、ロッド１は、両端を有し、一端に工作部１２が形成され、他端に握り部１１が形成される。折曲部２は、枢着溝２１と、旋回端２２と、を備え、工作部１２と握り部１１の間に設けられる。旋回端２２は枢着溝２１に組み付けられる。枢着溝２１は、溝口２１１と、規制構造と、を有する。旋回端２２は、スライド溝２２１を有し、第１位置と第２位置に切替え可能である。旋回端２２が前記第１位置に位置しているときには、前記規制構造により、旋回端２２が工作部１２に対して旋回できない。旋回端２２が前記第２位置に位置しているときには、旋回端２２が溝口２１１内に旋回してロッド１をＬ字形にすることができる。
【００１９】
枢着溝２１の底部に窪み２１２が形成される。旋回端２２が前記第１位置に位置しているときには、旋回端２２が窪み２１２に当接する。前記規制構造は、互いに対向する係合階段２１３、２１３´と、互いに対向する側面２１４、２１４´と、を含む。側面２１４に定位穴２１５が形成され、側面２１４´に定位溝２１６に形成される。枢着溝２２の壁面の軸方向には、Ｕ字形を呈する開口２１７が形成され、開口２１７と溝口２１１が互いに連通する。側面２１４、２１４´は、それぞれ前記壁面の開口２１７と隣接する両側に位置する。旋回端２２を旋回すると、旋回端２２が開口２１７と係合する。
【００２０】
図２Ａ及び図２Ｂを参照する。旋回端２２の周面に当接面２２２、２２２´が形成される。旋回端２２が前記第１位置に位置しているときには、当接面２２２、２２２´がそれぞれ係合階段２１３、２１３´に当接する。このように、握り部１１は工作部１２に対して旋回できない。旋回端２２は、更に、収容穴２２３を有する。収容穴２２３は定位溝２１６に対応する。スライド溝２２１は定位穴２１５に対応する。折曲部２は、更に、定位ユニットを含み、前記定位ユニットは、第１弾性具２２４と、第２弾性具２２５と、第１定位具２２６と、第２定位具２２７と、を含む。第１定位具２２６は、スライド溝２２１を移動できる。旋回端２２が前記第１位置に位置しているときには、第１定位具２２６がスライド溝２２１の一端に位置する。旋回端２２が前記第２位置に位置しているときには、第１定位具２２６がスライド溝２２１の他端に位置する。図３及び図３のＡを参照する。第１弾性具２２４、第２弾性具２２５及び第２定位具２２７は、収容穴２２３に収容される。第２定位具２２７は、第１弾性具２２４と第２弾性具２２５の間に配される。第１定位具２２６は、スライド溝２２１と定位穴２１５の間に配される。第１定位具２２６と第２定位具２２７は玉であることが好ましい。
【００２１】
また、収容穴２２３は階段面２２３１を有する。第１弾性具２２４は、一端が階段面２２３１に押付け、他端が定位溝２１６の側面２１４´に押付ける。このように、旋回端２２は、前記第１位置、又は前記第２位置に安定に位置することができる。
【００２２】
図３Ｂを参照する。旋回端２２が前記第１位置に位置しているときに、第２定位具２２７は、定位溝２１６の下に位置し、収容穴２２３に収容され、第２弾性具２２５を圧迫し、第１定位具２２６は、スライド溝２２１の工作部１２に近接する一端に位置し、第１弾性具２２４が定位溝２１６の側面２１４´に持続に押付ける。このように、旋回端２２は、枢着溝２１に安定に配されることができ、窪み２１２に当接する。また、当接面２２２、２２２´は、それぞれ係合階段２１３、２１３´に当接し、これにより、旋回端２２はどの方向へも旋回できない。図４Ａ及び図４Ｂを参照する。旋回端２２が前記第２位置に位置しているときには、旋回端２２が枢着溝２１の窪み２１２から離れ、当接面２２２、２２２´も係合階段２１３、２１３´から離れ、そして第１定位具２２６が旋回端２２に従って上に移動する。このとき、第２弾性具２２５により、第２定位具２２７が収容穴２２３へ押付けられ、第２定位具２２７が定位溝２１６に移動するときには、第２定位具２２７が定位溝２１６に押付けて係止される。これにより、旋回端２２は、上方へ更に移動できず、前記第２位置に固定される。図４を参照する。旋回端２２が前記第２位置に位置しているときには、第１定位具２２６は、スライド溝２２１の工作部１２に近接する一端から、スライド溝２２１の窪み２１２に近接する一端に移動する。
【００２３】
図４Ａ、図４Ｂ及び図５を参照する。旋回端２２が前記第２位置に固定されているときには、握り部１１が旋回端２２に対して旋回でき、これにより、握り部１１が工作部１２に垂直する。このとき、旋回端２２は開口２１７に係合される。枢着溝２１の壁面は、開口２１７の一側に対応し、閉じる状態を呈するため、旋回端２２は開口２１７へ旋回することだけができる。また、上記の実施例では、第１定位具が定位穴の一側に設けられ、第２定位具が定位溝の一側に設けられるが、本考案はこれらに限定されない。第１定位具が定位溝の一側に設けられ、第２定位具が定位穴の一側に設けられてもよい。
【００２４】
本実施例の手工具は、前記折曲機構と、爪車ヘッド３と、を含むが、各種類の作業環境の制限に対応するため、更に、図６、図７Ａ、図７Ｂ、図７Ｃ、図８Ａ及び図８Ｂの組合に変化してもよい。
【実施例２】
【００２５】
本実施例の手工具は、図６に示すように、爪車ヘッド３を含み、工作部１２が多角体１２１に形成され、多角体１２１に係止部１２２が設けられる。係止部１２２により、爪車ヘッド３が工作部１２に係止される。係止部１２２は、図２Ａ及び図６に示すように、玉でもいいし、係りブロックでもいいし、ピンでもいいし、係止効果を有するその他の何れかの部品でもよい。
【実施例３】
【００２６】
図７Ａを参照する。本実施例の工作部１２には、係止部１２２を制御する押圧スイッチ１２３が設けられる。押圧スイッチ１２３は、図７Ｂ及び図７Ｃに示すように、自在ロッド１２３１と、バネ１２３２と、ボタン１２３３と、を含む。自在ロッド１２３１とバネ１２３２は工作部１２に収容される。このように、爪車ヘッド３は工作部１２とスムーズに結合できる。ボタン１２３３をリリースするときには、バネ１２３２が自在ロッド１２３１を押上げて、係止部１２２が自在ロッド１２３１に押上げられて工作部１２から突出する。このように、爪車ヘッド３は工作部１２と安定に係合することができる。
【実施例４】
【００２７】
図８Ａ及び図８Ｂを参照する。本実施例では、工作部１２をドライバー、又はスパナに類似するものに直接に加工して、握り部に折曲機構２を設けることにより、本実施例の手工具は、爪車ヘッド３に結合して利用することが必要なくなり、そして折曲機能を有する。
【産業上の利用可能性】
【００２８】
本考案は、手工具に適用することができる。
【符号の説明】
【００２９】
１：ロッド、２，２´：折曲機構、３：爪車ヘッド、１１：握り部、１２：工作部、２１：枢着溝、２２：旋回端、１２１：多角体、１２２：係止部、１２３：押圧スイッチ、２１１：溝口、２１２：窪み、２１３，２１３´：係合階段、２１４，２１４´：側面、２１５：定位穴、２１６：定位溝、２１７：開口、２２１：スライド溝、２２２，２２２´：当接面、２２３：収容穴、２２４：第１弾性具、２２５：第２弾性具、２２６：第１定位具、２２７：第２定位具、１２３１：自在ロッド、１２３２：バネ、１２３３：ボタン、２２３１：階段面。
【図１】
0003173940.tif 000003
【図２Ａ】
0003173940.tif 000004
【図２Ｂ】
0003173940.tif 000005
【図３Ａ】
0003173940.tif 000006
【図３Ｂ】
0003173940.tif 000007
【図４Ａ】
0003173940.tif 000008
【図４Ｂ】
0003173940.tif 000009
【図５】
0003173940.tif 000010
【図６】
0003173940.tif 000011
【図７Ａ】
0003173940.tif 000012
【図７Ｂ】
0003173940.tif 000013
【図７Ｃ】
0003173940.tif 000014
【図８Ａ】
0003173940.tif 000015
【図８Ｂ】
0003173940.tif 000016